(57)【要約】【課題】包装材の使用量を抑えたもとで、包装体の製造から販売までの流通過程を経ておにぎりを食するまでにおける取り扱い時の外圧や、おにぎりを食する際における袋の開封動作等の外的要因からシート状の海苔とおにぎりを保護する。【解決手段】袋２０におけるおにぎり２２の上方で重合するシート状袋体１８の各端縁部を熱溶着して形成された横方向シール部２４が、袋２０の左右両端縁間に亘って延在する。袋２０におけるおにぎり２２を挟む左右両側で重合するシート状袋体１８を熱溶着して形成された縦方向シール部２６,２６は、横方向シール部２４と交差するよう縦方向に延在する。袋２０の底面となる左右両端部に、上方に向けて折り込まれた折込み部３４が形成される。シート状袋体１８の内部に画成され、シート状の海苔１６が密封状態で収容される第１密封室に気体が封入される。【選択図】図１
2010264989.tif 000002
【特許請求の範囲】
【請求項１】
重ね合わされた内外２枚の包装材(12,14)間にシート状の海苔(16)を収容したシート状袋体(18)からなる袋(20)内におにぎり(22)を収容した包装体であって、
前記シート状袋体(18)に載置したおにぎり(22)の上方で該シート状袋体(18)の各端縁部を重合して熱溶着され、袋(20)の左右両端縁間に亘って延在する横方向シール部(24)と、
前記おにぎり(22)を挟む左右両側で重合するシート状袋体(18)を熱溶着して形成され、前記袋(20)の底部から上端に亘って縦方向に延在すると共に前記横方向シール部(24)と交差する縦方向シール部(26,26)と、
前記袋(20)の底面となる左右両端部において上方に向けて折り込まれた折込み部(34,34)と、
前記シート状袋体(18)の両包装材(12、14)間に気体が封入されて前記シート状の海苔(16)を密封状態で収容した第１密封室(28)と、
前記シート状袋体(18)の第１密封室(28)で覆われて前記おにぎり(22)を密封状態で収容した第２密封室(30)とから構成した
ことを特徴とするおにぎりの包装体。
【請求項２】
前記シート状袋体(18)には、中央位置に収容したシート状の海苔(16)を囲むように形成した部分シール部(32)と、前記袋(20)を左右に分割可能な開封手段(36,54)とを設けた請求項１記載のおにぎりの包装体。
【請求項３】
前記開封手段(36)は、前記袋(20)の前側または後側の何れか一方側においておにぎり(22)の上方に臨むよう前記シート状袋体(18)における外側の包装材(12)の左右方向の中央に形成した摘み部(38)と、始端が該摘み部(38)に接続され、おにぎり(22)を上下方向に囲み横方向シール部(24)を縦断して終端が前記袋(20)の他方側の上端に至るよう外側の包装材(12)を非貫通状態で脆弱化した左右一対の第１の開封誘導線(40、40)と、おにぎり(22)を上下方向に囲むように内側の包装材(14)を非貫通状態で脆弱化して前記一対の第１の開封誘導線(40,40)の間に臨み、前記横方向シール部(24)を縦断して袋上端部に至るよう形成された第２の開封誘導線(42)と、前記摘み部(38)を囲繞し、内外２枚の包装材(12,14)を熱溶着した環状弱シール部(44)と、該環状弱シール部(44)の上部に接続され、前記横方向シール部(24)を縦断して袋上端部に至るよう外側の包装材(12)を非貫通状態で脆弱化した補助開封誘導線(48)とを有する請求項２記載のおにぎりの包装体。
【請求項４】
前記第２密封室(30)に気体を封入した請求項１〜３の何れか一項に記載のおにぎりの包装体。
【請求項５】
前記密封室(28,30)に封入された気体は不活性ガスである請求項１〜４の何れか一項に記載のおにぎりの包装体。
【請求項６】
前記縦方向シール部(26)は、袋(20)の底部となる折込み部(34)において包装材(12,14)が折り込まれて重合した該包装材(12,14)の表面同士が面する部位が溶着された請求項１〜５の何れか一項に記載のおにぎりの包装体。
【請求項７】
前記内側の包装材(14)は表裏両面熱溶着性フィルムとした請求項１〜６の何れか一項に記載のおにぎりの包装体。
【請求項８】
前記外側の包装材(12)は表裏両面熱溶着性フィルムとした請求項１〜７の何れか一項に記載のおにぎりの包装体。
【発明の詳細な説明】
【技術分野】
【０００１】
本発明は、おにぎりの包装体に関するものである。
【背景技術】
【０００２】
海苔を直巻きせずにシート状の海苔とおにぎりを、密封した袋内に分離された状態で収容するようにしたおにぎりの包装形態として、表側フィルムに裏側フィルムを重ね合わせ、内部にシート状の海苔を収容するための袋部を構成するように表側フィルムと裏側フィルムの一部を接合して製袋されたシート体によって三角形状のおにぎりを包み込み、その包装体の左右および上部の三方をヒートシールしておにぎり包装体としたもの(例えば、特許文献１参照)が提案されている。
【０００３】
また、シート状の海苔を収容した第１袋状体を巻き付けたおにぎりを、第２袋状体に収容して密封するのに加えて、該第２袋状体に不活性ガス等の気体を封入して、おにぎりの外圧からの保護と鮮度の保持とが期待できるようにした提案もなされている(例えば、特許文献２参照)。
【先行技術文献】
【特許文献】
【０００４】
【特許文献１】特開２００５−１４５５０７号公報
【特許文献２】特開２００５−２４７３７４号公報
【発明の概要】
【発明が解決しようとする課題】
【０００５】
特許文献２に開示のおにぎりの包装体によれば、単にシート体でおにぎりを包み込む特許文献１のものに比べて、おにぎりの保護と鮮度の保持との効果が期待できる。しかるに、特許文献２に関する包装体を得るには、シート状の海苔を収容した第１袋状体でおにぎりをくるむ工程を経て、その第１袋状体でくるまれた中間包装品を第２袋状体に収容するための工程が必要となるばかりでなく、２重袋形態とするための包装材の使用量が多くなる等の難点が指摘される。
【０００６】
すなわち本発明は、従来の技術に係るおにぎりの包装体に内在する前記問題に鑑み、これらを好適に解決するべく提案されたものであって、包装材の使用量を抑えたもとで、包装体の製造から販売までの流通過程を経ておにぎりを食するまでにおける取り扱い時の外圧や、おにぎりを食する際における袋の開封動作等の外的要因からシート状の海苔とおにぎりを保護可能なおにぎりの包装体を提供することを目的とする。
【課題を解決するための手段】
【０００７】
前記課題を克服し、所期の目的を達成するため、本発明に係るおにぎりの包装体は、
重ね合わされた内外２枚の包装材間にシート状の海苔を収容したシート状袋体からなる袋内におにぎりを収容した包装体であって、
前記シート状袋体に載置したおにぎりの上方で該シート状袋体の各端縁部を重合して熱溶着され、袋の左右両端縁間に亘って延在する横方向シール部と、
前記おにぎりを挟む左右両側で重合するシート状袋体を熱溶着して形成され、前記袋の底部から上端に亘って縦方向に延在すると共に前記横方向シール部と交差する縦方向シール部と、
前記袋の底面となる左右両端部において上方に向けて折り込まれた折込み部と、
前記シート状袋体の両包装材間に気体が封入されて前記シート状の海苔を密封状態で収容した第１密封室と、
前記シート状袋体の第１密封室で覆われて前記おにぎりを密封状態で収容した第２密封室とから構成したことを特徴とする。
【０００８】
請求項２に係る発明では、前記シート状袋体には、中央位置に収容したシート状の海苔を囲むように形成した部分シール部と、前記袋を左右に分割可能な開封手段とを設けたことを要旨とする。
【０００９】
請求項３に係る発明では、前記開封手段は、前記袋の前側または後側の何れか一方側においておにぎりの上方に臨むよう前記シート状袋体における外側の包装材の左右方向の中央に形成した摘み部と、始端が該摘み部に接続され、おにぎりを上下方向に囲み横方向シール部を縦断して終端が前記袋の他方側の上端に至るよう外側の包装材を非貫通状態で脆弱化した左右一対の第１の開封誘導線と、おにぎりを上下方向に囲むように内側の包装材を非貫通状態で脆弱化して前記一対の第１の開封誘導線の間に臨み、前記横方向シール部を縦断して袋上端部に至るよう形成された第２の開封誘導線と、前記摘み部を囲繞し、内外２枚の包装材を熱溶着した環状弱シール部と、該環状弱シール部の上部に接続され、前記横方向シール部を縦断して袋上端部に至るよう外側の包装材を非貫通状態で脆弱化した補助開封誘導線とを有することを要旨とする。
【００１０】
請求項４に係る発明では、前記第２密封室に気体を封入したことを要旨とする。
【００１１】
請求項５に係る発明では、前記密封室に封入された気体は不活性ガスであることを要旨とする。
【００１２】
請求項６に係る発明では、前記縦方向シール部は、袋の底部となる折込み部において包装材が折り込まれて重合した該包装材の表面同士が面する部位が溶着されたことを要旨とする。
【００１３】
請求項７に係る発明では、前記内側の包装材は表裏両面熱溶着性フィルムとしたことを要旨とする。
【００１４】
請求項８に係る発明では、前記外側の包装材は表裏両面熱溶着性フィルムとしたことを要旨とする。
【発明の効果】
【００１５】
請求項１に係る発明によれば、気体を封入した第１密封室にシート状の海苔を収容したシート状袋体によっておにぎりを収容する袋を構成したので、包装材の使用量を抑えたもとで、封入気体の緩衝性によって海苔およびおにぎりを外圧から良好に保護することができる。また、海苔が収容される第１密封室内の気体層によって、乾燥状態の海苔が、外気またはおにぎりからの湿気を帯びてしまうのを防止し得る。更に、包装材と海苔との間には気体層が形成されているので、袋を開封する際に包装材に海苔の一部が付着した状態となって裂けたり欠損してしまうといった事態が生ずるのを抑制し得る。
請求項２に係る発明によれば、シート状袋体に海苔を位置規制状態で収容しているから、おにぎり包装品を製造してから開封されるまでにおいて海苔が位置ずれするのを規制し、販売時の見栄えを良好とし得ると共に、袋の開封に際して左右に包装材を分割した際に海苔をおにぎりに合致した添付状態とすることができる。
請求項３に係る発明によれば、内外２枚の包装材を開封誘導線に沿って確実に引き裂いて左右に分割することができる。また、外側の包装材の引き裂き始端となる摘まみ部を環状弱シール部で囲繞しているから、袋の密封性を損なうこともない。
請求項４に係る発明によれば、第１密封室に加えて第２密封室にも気体を封入することで、包装体に一層ボリューム感を与え、自立性を高めることができると共に、２重の緩衝効果を得ることができる。
請求項５に係る発明によれば、封入気体として不活性ガスを用いることで、雑菌やカビ等の発生の防止、酸化および変退色防止効果が高まり、製造から消費期限までの期間を延長でき、それによって製造拠点から販売地区までの流通区域を拡大することが可能となる。
請求項６に係る発明によれば、包装体の縦方向シール部が袋底部から袋上部に亘って柱状の支えとなって自立性を高めたり、見栄えを良好なものとすることができる。
請求項７に係る発明によれば、海苔を収容したシート状袋体でおにぎりを包んで横方向シールおよび縦方向シールを施す位置に対応して包装材に、例えばパートコート処理等の熱溶着可能な処理を施すことなく熱溶着による密封性を得ることができる。
請求項８に係る発明によれば、包装体の縦方向シール部に対応して袋底部に形成される折込みにより形成される包装材の重なり部にパートコート等の易接着処理を別途施すことなく溶着されるので、左右の縦方向シール部によって袋底部に保形性を与えて自立性を高めることができる。
【図面の簡単な説明】
【００１６】
【図１】(ａ)は、実施例に係るおにぎりの包装体を示す概略斜視図であり、(ｂ)は、包装体の概略縦断面図である。
【図２】(ａ)は、実施例に係るおにぎりの包装体を摘み部が形成された側から視た図であり、(ｂ)は、外側のフィルムを一部破断して包装体を反対側から視た図である。
【図３】実施例に係るシート状袋体を外側のフィルム側から視た展開図である。
【図４】実施例に係るシート状袋体を内側のフィルム側から視た展開図である。
【図５】縦方向シール部の折込み部が熱溶着されていない変更例に係る包装体の要部を示す概略斜視図である。
【図６】開封手段の変更例を示す包装体の部分正面図である。
【発明を実施するための形態】
【００１７】
次に、本発明に係るおにぎりの包装体につき、好適な実施例を挙げて、添付図面を参照して以下に説明する。
【実施例】
【００１８】
図１(ａ)は、実施例に係るおにぎりの包装体を示す概略斜視図であって、該包装体１０は、透明フィルム等の内外２枚のフィルム(包装材)１２,１４を重ね合わせて構成されて両フィルム１２,１４間にシート状の海苔１６を収容したシート状袋体１８からなる袋２０に、三角のおにぎり２２を収容した袋詰め包装品であって、該おにぎり２２は、シート状袋体１８を筒状に形成した際の折返し部に載置された状態で１つの頂部を上向きにした姿勢で収容される(図２参照)。
【００１９】
前記袋２０の上端部には、おにぎり２２が載置されたシート状袋体１８の両端縁を上方に持ち上げて合掌状に重合した重合部を所定幅で熱溶着することで得た横方向シール部２４が横方向(袋の左右方向)に延在するように形成されている。前記袋２０の左右両端部には、フィルムの左右同士が重合されて所定幅で熱溶着された縦方向シール部２６が袋底部から袋上端に亘って夫々縦方向に延在するように形成されており、両縦方向シール部２６,２６は、前記横方向シール部２４と交差している(図２参照)。前記シート状袋体１８を構成する内外のフィルム１２,１４の夫々は、両面熱溶着性フィルムが採用されており、乾燥した海苔１６を収容したシート状袋体１８によって得られた袋内に収容されたおにぎり２２と海苔１６とを横方向シール部２４および縦方向シール部２６,２６により、内外のフィルム１２,１４の相互に重合した面同士が熱溶着されて密封されている。なお、シート状袋体１８を構成する包装材は、ポリプロピレン等を基材とするプラスチックフィルムの熱溶着性のものや、和紙、あるいは擬似和紙等の基材にポリエチレン等の熱可塑性合成樹脂層が積層された熱溶着性シート材等を用いることができる。
【００２０】
前記シート状袋体１８は、袋２０の表面に位置する外側のフィルム１２と、該袋２０に収容されたおにぎり２２に面する内側のフィルム１４とを重ね合わせて構成される。そして、海苔１６を収容した両フィルム１２,１４によっておにぎり２２を包んで両フィルム１２,１４をおにぎり２２の上方および左右で重合した各端縁部の重合部を熱溶着して得られた横方向シール部２４および縦方向シール部２６,２６によって、該海苔１６の収容部が密封されて第１密封室２８が形成され、また該シート状袋体１８で包まれたおにぎり２２の収容部分も、前記横方向シール部２４および縦方向シール部２６,２６によって密封されて第２密封室３０が形成される。すなわち、海苔１６およびおにぎり２２は、図１(ｂ)に示す如く、内側のフィルム１４を挟んで画成される密封された各室２８,３０に隔離された状態で収容されると共に、おにぎり２２が収容される第２密封室３０は、海苔１６が収容される第１密封室２８で覆われている。
【００２１】
前記第１密封室２８および第２密封室３０の夫々に、窒素あるいは窒素と二酸化炭素の混合ガス等からなる不活性ガス(気体)が封入されている。すなわち、両密封室２８,３０に封入されている不活性ガスによって、海苔１６およびおにぎり２２に加わる外圧を緩和して、該海苔１６およびおにぎり２２を製造から販売に至る間において保護することができる。特におにぎり２２については、第１密封室２８に封入されている不活性ガスの緩衝作用と、第２密封室３０に封入されている不活性ガスの緩衝作用により２重に保護することができ、おにぎり２２の型崩れや変形等を有効に防止し得る。また、乾燥した海苔１６は、おにぎり２２が収容される第２密封室３０から隔離されて密封され、かつ不活性ガス雰囲気中に存在していることにより、外気またはおにぎり２２からの湿気を帯びてしまうのを好適に防止し得る。更に、内外のフィルム１２,１４と海苔１６との間には不活性ガスの気体層が形成されているので、おにぎり２２を食するにあたり袋２０を開封する際に、内外のフィルム１２,１４に海苔１６の一部が付着した状態となって裂けたり欠損したりしてしまうといった事態が生じ難く、開封後においておにぎり２２に海苔１６が良好な状態で巻かれた形態とし得る。更にまた、海苔１６およびおにぎり２２を何れも不活性ガス雰囲気中に収容することで、雑菌やカビの発生の防止等、その他酸化および変退色防止効果が高まり、製造から消費期限までの期間を延長できる。これにより、製造拠点から販売地区までの流通区域を従来より拡大でき、製造拠点を集約して生産効率を高めることが可能となる。また、不活性ガスを封入した第１密封室２８に海苔１６を収容したシート状袋体１８でおにぎり２２を包んで密封したので、従来の如く海苔１６とおにぎり２２とを別々に包装することなくそれら両物品の保護と鮮度維持とを図ることができ、フィルム等の包装材の使用量を抑えることができる。なお、前記密封室２８,３０に封入される不活性ガスの量は、少なくとも収容される海苔１６またはおにぎり２２に対してフィルム１２,１４の全体が密着することなく、少なくとも緩衝効果を得ることが可能な値に設定されるようにすればよい。
【００２２】
前記シート状袋体１８には、図３または図４に示す如く、第１密封室２８に収容されている海苔１６の長手方向に延在する各長辺の外側に近接して長手方向に向けて所定間隔で内外のフィルム１２,１４の対向面同士を部分的に熱溶着して形成された複数の縦部分シール部３２ａと、各短辺の外側に近接して海苔１６の幅方向の一側から他側にかけて所定間隔毎に内外のフィルム１２,１４の対向面同士を部分的に熱溶着して形成された複数の横部分シール部３２ｂからなる部分シール部３２が形成され、該部分シール部３２によって外周が囲われた海苔１６が袋体中央位置から移動するのを規制するよう構成してある。すなわち、包装体１０の製造後における流通時から消費者がおにぎり２２を食するために袋２０を開封するまでの間において、海苔１６が位置ずれするのを規制することができ、販売時の見栄えを良好とし得ると共に、位置ずれによる海苔１６の欠損等が防止できる。また、開封した際に海苔１６をおにぎり２２に合致した添付状態とすることができる。
【００２３】
前記袋２０の底面には、図１(ａ),(ｂ)に示す如く、その左右両側に袋底面から袋上方に向けてフィルムが折込み形成された折込み部３４が夫々形成されている。前記シート状袋体１８における外側のフィルム１２は表裏両面熱溶着性フィルムが採用されており、各折込み部３４は、フィルムが袋底面から袋上方に折り込まれて前記縦方向シール部２６が形成される際に折り込まれた外側のフィルム１２の表面同士が面して重合し熱溶着されるので、前記縦方向シール部２６は、袋２０の底面部においても折込み重合面のフィルム同士が夫々溶着して図１に示した如く重合状態が保持されて離間することはない。これにより、袋底部の保形性を高め、また縦方向シール部２６,２６が袋底部における左右両端から袋上方に向けた支柱となることで、自立性を高めた包装体１０とすることができる。すなわち、包装体１０を立てて陳列販売する際に転倒しておにぎり２２が型崩れするのを防止し得る。両面熱溶着性フィルムを採用すれば、フィルムの加熱溶着予定部位にパートコート等の易接着処理を別途施す必要はない。なお、折込み部３４のフィルム重合面同士の熱溶着については必要に応じて採用されるものであればよく、比較的腰があって保形性を有するフィルムを採用する場合は、外側のフィルム１２の海苔１６に面する裏面のみを熱溶着可能なフィルムとすることで、例えば図５に示すように折込み部３４のフィルム重合面同士が離間したままの形態としてもよい。
【００２４】
前記袋２０における左右方向の中央部には、該袋２０を左右に分割するための開封手段３６が形成されている。この開封手段３６は、図３または図４に示す如く、シート状袋体１８における外側のフィルム１２に形成されて引き裂き始端となる摘み部３８と、該摘み部３８に接続され、外側のフィルム１２に左右方向に離間して形成された一対の第１の開封誘導線４０,４０と、両第１の開封誘導線４０,４０の間に臨むように内側のフィルム１４に形成された第２の開封誘導線４２と、後述の補助開封誘導線４８とから基本的に構成される。前記第１および第２の開封誘導線４０,４２は、何れもフィルム１２,１４を貫通することなく連続または断続的な線状に溝(脆弱部)を形成する、所謂ハーフカット処理が施されており、該開封誘導線４０,４２によって前記第１および第２密封室２８,３０の密封性が損なわれることがないよう構成される。なお、フィルム１２,１４を開封するための脆弱化処理としては、ハーフカット処理に限らず、フィルム１２,１４を線状に押圧して厚みを部分的に薄くするものや、フィルムに非貫通の微細傷を付与する等の公知の各種処理を採用することができる。
【００２５】
前記袋２０における横方向シール部２４の下方に近接した位置には、袋２０の前側または後側の一方側に臨む外側のフィルム１２と内側のフィルム１４との重合面が環状に熱溶着された環状弱シール部４４が左右方向の中央に形成されている。そして、外側のフィルム１２における環状弱シール部４４で囲繞される部位には、図２(ａ)および図３に示す如く、上下に離間する直線部を左右両端の曲線部で接続した略トラック形状の切込み４６が外側のフィルム１２を貫通して形成され、該切込み４６によって横長方形状の前記摘み部３８が形成される。切込み４６は、下側の直線部が左右方向中央で非接続状態となっている。また、前記一対の第１の開封誘導線４０,４０は、その始端部が摘み部３８の切込み４６における下側の直線部に交差するよう接続され、袋２０に収容されているおにぎり２２を上下方向に囲むように延在すると共に、終端が切込み４６が形成された袋２０の前側または裏側とは反対側の外側のフィルム１２における横方向シール部２４を縦断して袋上端まで至るよう形成される(図２(ｂ)参照)。更に、内側のフィルム１４における左右方向中央位置には、図２(ｂ)および図４に示す如く、一対の第１の開封誘導線４０,４０の間に臨み前記横方向シール部２４を縦断して袋上端部に至る前記第２の開封誘導線４２が、該内側のフィルム１４の上下方向全長に亘って形成される。また、前記外側のフィルム１２の左右方向中央で第２の開封誘導線４２に整列する位置に、袋上端部から前記横方向シール部２４を縦断して環状弱シール部４４の内方における切欠み４６と交差する位置に至る補助開封誘導線４８が、前述したハーフカット処理により形成されている。
【００２６】
すなわち、前記包装体１０のおにぎり２２を食するに際しては、前記摘み部３８を指で引っ張ることで、前記一対の第１の開封誘導線４０,４０に沿って外側のフィルム１２が帯状に切り離される。次いで、袋２０を左右に引っ張ることで、前記内側のフィルム１４が第２の開封誘導線４２に沿って左右に切り離されて該袋２０が左右に分割され、前記第１密封室２８に収容されていた海苔１６が、第２密封室３０に収容されていたおにぎり２２の外周に添付される。なお、内側のフィルム１４が第２の開封誘導線４２に沿って切り離される際には、前記外側のフィルム１２における補助開封誘導線４８に沿って外側のフィルム１２における横方向シール部２４に対応する位置も容易に分離される。また、前記摘み部３８を形成する切込み４６は、環状弱シール部４４によって囲繞されているから、該切込み４６によって開封前の第１密封室２８の密封性を損なうことはなく、袋２０を開封するまで海苔１６の前記不活性ガスによる湿気防止や品質保持ならびに緩衝作用による海苔１６の欠損やおにぎり２２の型崩れ等に対する保護効果を維持し得る。
【００２７】
前記開封手段としては、例えば図６に示すように、内外のフィルム１２,１４の左右方向の中央に、フィルム１２,１４の全長に亘って開封誘導線５０をハーフカット処理により形成し、その開封誘導線５０の終端部となる袋２０の上端縁部に、開封誘導線５０に接続するＶ字形の切欠き部からなる開封用ノッチ５２を形成するようにしてもよい。この形態の開封手段５４によれば、袋２０を開封する際には、開封用ノッチ５２を基点として該袋２０を左右に引っ張ることで、内外２枚のフィルム１２,１４が一度に分割されて簡単に開封することができる。また、開封用ノッチ５２は、横方向シール部２４の形成位置である内外のフィルム１２,１４の溶着部位の範囲内で形成され、第１および第２密封室２８,３０の密封性を損ねることがない。なお、開封用ノッチ５２としては、その他、Ｕ字形,半円形,台形、その他適宜形状の切欠きや内外のフィルム１２,１４の重合部を貫通する直線状あるいはミシン目状の切込みであってもよい。
【００２８】
そして、前述のように構成された包装体１０は、内外のフィルム１２,１４に部分シール部３２によって位置規制された海苔１６を所定間隔毎に収容した連続シート状袋体からなる帯状フィルムをＵ字状に折り曲げて、その帯状フィルムにおける長手方向の重合端縁に連続的シールを施して横方向シール部２４を形成すると共に、該フィルム中に所定間隔毎に収容した海苔１６の収容位置に合わせて供給した各おにぎり２２間においてフィルムの搬送方向と交差する方向にシールを施して縦方向シール部２６,２６を形成することで連続的に得ることができる。すなわち、実施例の包装体１０は横形製袋充填機により効率的に製造が可能であり、海苔１６を一定間隔で収容した連続する包装材を使用することで、包材コストが低減できると共に包装能力も向上し得る。
【００２９】
(変更例)
本発明は実施例の構成に限定されず、以下のようにも変更可能である。
(1) 包装体１０の開封手段としては、袋２０の上下方向に引き裂き性を備えたフィルムを採用し、その袋上端部に開封用ノッチを形成したり、カットテープをフィルム裏面側に上下に周回するよう貼り付けること等、その他の密封性を損ねることなく形成できる各種の開封手段を採用することができる。
(2) 密封室２８,３０に封入する気体として空気を用いることができ、この場合においても、第１密封室２８に封入された空気によって海苔１６の防湿効果および開封時における海苔１６の裂けや欠損を防止できる。また、第１密封室２８と第２密封室３０とに異なる種類の気体を封入する構成を採用し得る。
(3) 第１および第２密封室２８,３０の夫々に不活性ガスを封入するようにしたが、少なくとも海苔１６が収容された第１密封室２８にのみ不活性ガスを封入する構成とすればよい。このように、第１密封室２８のみに不活性ガスを封入した場合であっても、海苔１６とおにぎり２２との双方に対して充分な緩衝効果を得ることができる。しかも、おにぎり２２が収容される第２密封室３０にも不活性ガスを封入して緩衝効果を得る場合に対して、ガスの使用量を節減でき、生産コストを抑制し得る。
(4) 環状弱シール部４４の形状は、四角形、三角形等、必要に応じて各種形状を選択でき、また、該環状弱シール部４４の内側に形成される切込み４６の形状も、横長方形状に限定されることなく各種形状を選択できる。実施例では環状弱シール部４４を横方向シール部２４の下方の近接位置に形成したが、環状弱シール部４４の上部が横方向シール部２４に重なっているものでもよく、また上方に開放するコ字状のシール部の上部を横方向シール部２４に重なるよう形成することで、該シール部と横方向シール部２４とで環状弱シール部４４を形成する構成を採用することができる。
(5) 不活性ガスを袋内に封入するものにおいては、袋２０の包装材についてガスバリア性のフィルムの使用が推奨されるが、おにぎり２２の如く製造から消費までの消費期限が限られたものでは、ガスバリア性のフィルムを採用するまでもなく、おにぎり２２を製造後食するまでのガス封入効果を維持することができる。しかも、ガスバリア性フィルムを使用した場合に対して、包材コストも抑えることができる。
【符号の説明】
【００３０】
１２ 外側のフィルム(包装材)，１４ 内側のフィルム(包装材)
１６ 海苔，１８ シート状袋体，２０ 袋，２２ おにぎり，２４ 横方向シール部
２６ 縦方向シール部，２８ 第１密封室，３０ 第２密封室，３２ 部分シール部
３４ 折込み部，３６ 開封手段，３８ 摘み部，４０ 第１の開封誘導線
４２ 第２の開封誘導線，４４ 環状弱シール部，４８ 補助開封誘導線
５４ 開封手段
【図１】
2010264989.tif 000003
【図２】
2010264989.tif 000004
【図３】
2010264989.tif 000005
【図４】
2010264989.tif 000006
【図５】
2010264989.tif 000007
【図６】
2010264989.tif 000008